(57)【要約】  本発明は、充電器に電気エネルギー回収を供給する方法および装置に関する。本発明によれば、電気モータ（Ｍ）およびダイオード（Ｄ１）を介して電池（ＵＢ）から循環する電流は、並列に接続されたコンデンサ（ＣＡおよびＣＢ）を充電する。充電されると、前記各コンデンサは直列に接続され、それによって、電池に関して電圧差を発生し、各コンデンサからの充電量の半分をダイオード（Ｄ２）を介して電池に戻す。さらに、並列に再接続されると、各コンデンサは再充電され、前記充電量は、以前に各コンデンサから電池に運ばれた充電量と同じである。このようにして、各コンデンサが循環的に並列および直列に接続されるとき、エネルギーは、電池から各コンデンサに、また各コンデンサから電池に運ばれ、それによって電池の自律性およびモータの動作を著しく伸ばす。
2007520187.tif 000002
【特許請求の範囲】
【請求項１】
充電器に電気エネルギーの回収を供給する方法であって、第１の電気エネルギー蓄積器手段から取り出された電気エネルギーを充電器に供給するステップと、前記電気エネルギーが前記充電器を通過して、供給された前記電気エネルギーを回収するための前記第１の蓄積器手段に至った後に、少なくともある割合の前記電気エネルギーを戻すステップとを含むことを特徴とする方法。
【請求項２】
前記電気エネルギーは、前記充電器を通過した後、第２の電気エネルギー蓄積器手段によって回収され、そこから前記第１の蓄積器手段に転送されることを特徴とする、請求項１に記載の方法。
【請求項３】
前記第１のエネルギー蓄積器手段と第２のエネルギー蓄積器手段との間で電気エネルギーの循環転送が起こることを特徴とする、請求項１または２に記載の方法。
【請求項４】
前記第２の蓄積器手段から前記第１の蓄積器手段への前記エネルギーの回収は、前記充電器を通過することなく起こることを特徴とする、請求項１〜３のいずれか一項に記載の方法。
【請求項５】
前記第２の蓄積器手段から前記第１の蓄積器手段への前記エネルギーの回収は、前記充電器を介して起こることを特徴とする、前記請求項１から４のいずれか一項に記載の方法。
【請求項６】
前記充電器を介する前記エネルギー回収の間、前記充電器の極性は反転していることを特徴とする、請求項５に記載の方法。
【請求項７】
前記エネルギーの転送は、前記第１の蓄積手段と前記第２の蓄積手段の少なくともいずれか一方の一部分を形成する２つ以上の電気エネルギー蓄積器要素を、並列から直列に、またその逆に循環的に接続することによってもたらされることを特徴とする、請求項１〜６のいずれか一項に記載の方法。
【請求項８】
充電器に電気エネルギーの回収を供給する装置であって、第１の電気エネルギー蓄積器手段および第２の電気エネルギー手段を備え、前記充電器は前記第１の蓄積器手段と第２の蓄積器手段との間に接続されることを特徴とする装置。
【請求項９】
前記回収された電気エネルギーが前記充電器を介して通過し、前記第１の蓄積器手段に戻されて後に、回収された電気エネルギーを循環させるために、前記充電器に並列に接続された１方向接続を有することを特徴とする、請求項８に記載の装置。
【請求項１０】
前記１方向接続は半導体ダイオードを有することを特徴とする、請求項９に記載の装置。
【請求項１１】
前記第１のエネルギー蓄積器手段は直流電池からなることを特徴とする、請求項８から１０のいずれか一項に記載の装置。
【請求項１２】
前記第２の電気エネルギー蓄積器手段は、少なくとも２つのコンデンサと、前記２つのコンデンサを並列から直列に、またその逆に循環的に接続する切換可能な手段とを備えることを特徴とする、請求項８から１１のいずれか一項に記載の装置。
【請求項１３】
前記充電器と前記第１または第２の蓄積器手段との間に接続される半導体ダイオードが提供されることを特徴とする、請求項８から１２のいずれか一項に記載の装置。
【請求項１４】
前記各コンデンサは、並列に接続されるとき、前記各ダイオードの位置により、前記電池から供給された前記エネルギーを前記充電器によって充電され、前記各コンデンサは、直列に接続されるとき、前記１方向接続を介して前記電池に放電されることを特徴とする、請求項８から１３のいずれか一項に記載の装置。
【請求項１５】
前記各コンデンサは、並列に接続されるとき、前記各ダイオードの前記位置により、前記電池から供給された前記エネルギーを、前記１方向接続を介して充電され、前記各コンデンサは、直列に接続されるとき、前記充電器を介して放電されることを特徴とする、請求項８から１３のいずれか一項に記載の装置。
【請求項１６】
前記第１および第２の電気エネルギー蓄積器手段は、少なくとも２つの直流電池と、前記各電池を並列から直列に、またその逆に循環的に接続する切替手段とからなることを特徴とする、請求項８に記載の装置。
【請求項１７】
前記第１および第２の蓄積器手段の前記各電池での、直列または並列の接続状況は、常に互いに異なることを特徴とする、請求項１６に記載の装置。
【請求項１８】
前記充電器は、前記各電池の前記直列または並列の接続状況に応じて、前記充電器の極性を反転させる切換可能な手段を介して、前記第１および第２の蓄積器手段の前記各電池に接続されることを特徴とする、請求項１６または１７に記載の装置。
【請求項１９】
前記充電器に並列に接続されたコンデンサを有することを特徴とする、請求項８から１８のいずれか一項に記載の装置。
【請求項２０】
前記充電器は、抵抗性または誘導性の充電器であることを特徴とする、請求項８から１９のいずれか一項に記載の装置。
【請求項２１】
前記充電器は、ＤＣモータであることを特徴とする、請求項８から２０のいずれか一項に記載の装置。
【請求項２２】
前記充電器は、第１の１次巻線および第２の１次巻線を備えるとともに第３の電気エネルギー蓄積器手段を有し、前記第１の巻線は前記第１および第２の蓄積器手段の間に接続され、前記第２の巻線は前記第１および第３の蓄積器手段の間に接続されることを特徴とする、請求項８、１１および１２に記載の装置。
【請求項２３】
前記第３の蓄積器手段は、少なくとも２つのコンデンサと前記２つのコンデンサを並列から直列に、またその逆に循環的に接続する切換可能な手段とを備えることを特徴とする、請求項２２に記載の装置。
【請求項２４】
前記第３の蓄積器手段の前記各コンデンサは、並列から直列に、またその逆に循環的に接続され、直列か並列かのその接続状況は、前記第２の蓄積器手段での前記各コンデンサの直列か並列かの前記接続状況と常に異なることを特徴とする、請求項２２および２３に記載の装置。
【請求項２５】
並列に接続された前記各コンデンサは、前記電池に接続される際に介する前記巻線によって前記電池の電圧まで充電され、直列に接続された前記各コンデンサは、前記電池に接続される際に用いられる前記巻線を介して前記電池に放電され、前記充電電流および放電電流は同じ方向に循環することを特徴とする、請求項２４に記載の装置。
【請求項２６】
前記第２および第３の蓄積器手段の切替手段の切替は、それらが関係する前記各コンデンサの前記直列または並列の接続状況を変更するために同時に起こることを特徴とする、請求項２５に記載の装置。
【請求項２７】
前記１次巻線および２次巻線は、前記切換可能な手段の切替速度に周波数が依存する交流電圧が誘起される２次巻線をも有するトランスの前記１次巻線を構成することを特徴とする、請求項２２から２６に記載の装置。
【請求項２８】
前記トランスの前記２次巻線に誘起される前記交流電圧を受け取り、出力がコンデンサを介してＤＣ−ＡＣコンバータに供給されるダイオード・ブリッジを備えることを特徴とする、請求項２７に記載の装置。
【請求項２９】
交流モータを備え、前記１次巻線および２次巻線は前記交流モータにその電圧を誘起することを特徴とする、請求項２２から２６に記載の装置。
【請求項３０】
直流モータを備えて、前記１次巻線および２次巻線が前記直流モータにその電圧を誘起し、また、前記１次巻線および２次巻線に関連する、前記各巻線の接続の極性を変更するための切換可能な手段を備えて、前記充電電流および放電電流が常にそれらの巻線を介して同じ方向に循環し、ＤＣ電圧が前記モータで生成されることを特徴とする、請求項２２から２６に記載の装置。
【請求項３１】
起こりうるエネルギーの損失を補償するため前記電池と並列に接続された外部のエネルギー源を備えることを特徴とする、請求項２２から３０に記載の装置。
【請求項３２】
前記切替手段は、機械的、電気機械的、電気的または電子的な手段によって形成されるグループから選択されることを特徴とする、請求項８から３１のいずれか一項に記載の装置。
【請求項３３】
前記切換可能な手段の前記切替を制御するプログラム可能な電子的手段を有することを特徴とする、請求項８から３２のいずれか一項に記載の装置。
【発明の詳細な説明】
【技術分野】
【０００１】
本発明は、回路を用いて、蓄積器（ａｃｃｕｍｕｌａｔｏｒ）または電池から充電器たとえばモータを介して循環する電流が完全に元に戻り、それにより著しくその範囲を拡大する自己再充電可能な電気源を使用して、充電器に供給される電気エネルギーを回収できるようにする方法および装置に関する。
【０００２】
より詳細には、並列から直列に、またその逆に循環的に接続される２つのコンデンサは、並列接続時にはモータを介して充電され、直列接続時に、その電圧が２倍になるとき、それら２つのコンデンサは電気を戻し、電池を再充電する。このソース（ｓｏｕｒｃｅ）は、生じた損失を補償するための供給を除けば外部からのエネルギー供給を必要としない閉システムを表し、電池が技術的に許容する充放電回数によって電池の範囲（ｒａｎｇｅ）が制限される。
【背景技術】
【０００３】
電気モータなどの充電器は、ある電荷を有する電池または蓄積器に接続され、この電荷は充電器により徐々に放電させられ、この放電は、接続時間、およびモータを介して循環している電流に直接比例している。したがって、再充電するためには、外部ソース（ｅｘｔｅｒｎａｌ  ｓｏｕｒｃｅ）から新鮮なエネルギーを供給する必要がある。
【０００４】
充電器によって消費されたエネルギーを再利用できるようにするシステムは、現行技術においては知られていない。
【発明の開示】
【課題を解決するための手段】
【０００５】
本発明の第１の態様は、充電器に電気エネルギーの回収を供給する方法に関し、第１の電気エネルギー蓄積器手段から生じる電気エネルギーを充電器に供給するステップと、供給されたエネルギーを回収するために、充電器を通過した後、少なくともある割合の前記電気エネルギーを前記第１の蓄積器手段に戻すステップとを含む。
【０００６】
電気エネルギーは、充電器を通過した後、第２の電気エネルギー蓄積器手段によって回収され、そこから前記第１の蓄積器手段に移され、それにより前記第１および第２のエネルギー蓄積器手段の間で電気エネルギーの循環転送が生じる。
【０００７】
前記第２の蓄積器手段から第１の蓄積器手段へのエネルギーの回収は、充電器を通過せずに達成することができる。他の代替例では、エネルギーは、充電器を介して前記第２の蓄積器手段から第１の蓄積器手段に回収され、この場合、充電器を介してエネルギーを回収する間、充電器の極性は逆になる。
【０００８】
前記第１の蓄積手段および／または前記第２の蓄積手段の一部分を形成する２つ以上の電気エネルギー蓄積器要素を、並列から直列に、またその逆に循環的に接続することによって、エネルギーの転送が引き起こされる。
【０００９】
本発明の第２の態様は、充電器に電気エネルギーの回収を供給する装置に関し、この装置は、第１の電気エネルギー蓄積器手段と第２の電気エネルギー蓄積器手段とを備え、充電器は、前記第１の蓄積器手段と第２の蓄積器手段の間に接続される。一実施形態では、充電器を通過した後に回収される電気エネルギーの循環のために、この装置は、たとえば充電器に並列に接続されたダイオードによって実装される１方向接続が提供され、この装置を介して、前記エネルギーは第１の蓄積器手段に戻される。
【００１０】
第１の電気エネルギー蓄積器手段は、直流電池から構成されてもよい。第２の電気エネルギー蓄積器手段は、少なくとも２つのコンデンサと、前記２つのコンデンサを並列から直列に、またその逆に循環的に接続するための切換可能な手段とを含む。
【００１１】
本発明は、電池の範囲が著しく拡大されるようにする自己再充電可能な電気エネルギー源を構成し、その結果、それからモータを介して循環する電流は、各接点によって並列に接続された２つのコンデンサを電池の電圧レベルまで充電する。これらのコンデンサは、充電されると、直列に接続され、それらの電圧を２倍にし、エネルギーを電池に戻し、それによって電池範囲を拡大し、電池の持続時間は、損失が補償されると、電池の充放電特性に依存する。
【００１２】
電池と、並列および直列に接続された各コンデンサとの間の電圧差の存在は、電池から各コンデンサへの、またその逆のエネルギーの移動を生じ、電池と各コンデンサとの間に接続されているモータに供給するために使用され、自己再充電可能な電気エネルギー源を構成する。
【００１３】
並列接続時は、各コンデンサはモータおよびダイオードを介して充電され、直列接続時は、各コンデンサは他のダイオードを介して充電され、モータの供給電圧は電池の電圧の半分である。一方で、モータが電池と直列接続された各コンデンサとの間に接続される場合、後者はダイオードを介して並列に充電され、モータおよび他のダイオードによって放電され、電池の電圧と同じ電圧をモータに供給することになり、モータの巻線に直列に接続されているコンデンサは、電力を失うことなく、その動作を保証する。
【００１４】
２つのコンデンサの代わりに、直列に接続された２つの電池および並列に接続された他の２つの電池が使用されてもよく、それらの電池の間にはモータが接続され、電流は、この場合は直列に接続された各電池からモータを介して並列に接続された各電池へと循環する。次いで、直列接続された各電池は、切換可能な各接点によって並列に接続され、他の２つの並列接続された電池は直列に接続され、電流の方向を逆転させ、モータの接続は、それらの循環の極性および方向を維持するために、他の各接点の同時切替によって反転される。
【００１５】
本発明の可能な一実施形態では、他の２つのコンデンサ、および２つの１次巻線を有するトランス、または２つの巻線を有するモータが前述の装置に加えられ、コンデンサの各対は、並列接続から直列接続に、またその逆に循環的に切り替わり、その結果、並列接続サイクル時には、各コンデンサのうち２つは各巻線のうちの１つを介して電池の電圧レベルまで充電され、同時に他の２つのコンデンサは直列に接続され、それらの電圧を２倍にし、第２の巻線によって電池に放電される。
【００１６】
主に各コンデンサにおける熱の消散、ならびに各電池の充電係数（ｃｈａｒｇｅ  ｆａｃｔｏｒ）によってもたらされるエネルギー損失により低減されたレベルは、外部ソースによって補償され、各コンデンサのうちの２つを充電するモータまたはトランスの巻線を介して循環する電流と、第２の巻線を介して他の２つのコンデンサから同時に循環し電池を再充電する電流との合計は、外部ソースから供給される電流を加えてゼロに等しくなるため、またトランスの２次側で誘起される交流電圧に接続されているモータまたは各充電器により実行される仕事により、電池の放電は起こらない。
【００１７】
説明している内容を補足するために、また本発明の諸特性をよりよく理解するのに役立つように、本発明の好ましい実際的な一実施形態によれば、前記説明の不可欠な部分として１組の図面が添付され、情報を提供する非制限的な目的のために、以下に示される。
【発明を実施するための最良の形態】
【００１８】
図１に示された好ましい一実施形態では、充電器は直流モータ（Ｍ）からなり、第１の蓄積器手段は電池（ＵＢ）からなり、第２の蓄積器手段は１対のコンデンサ（ＣＡ）および（ＣＢ）からなる。図１には、ある電圧の電池（ＵＢ）と、２つの切換可能な接点（Ｓ１）および（Ｓ２）によって互いに並列に接続された、第１のコンデンサ（ＣＡ）および第２のコンデンサ（ＣＢ）との間の電気モータ（Ｍ）の接続が示してある。これらのコンデンサ（ＣＡ）、（ＣＢ）は、モータ（Ｍ）およびダイオード（Ｄ１）を介して充電されて、電池（ＵＢ）の電圧と同じ電圧レベルが得られ、その充電量はＱ＝（ＣＡ＋ＣＢ）ＵＢであるが、コンデンサ（ＣＡ）および（ＣＢ）を充電するプロセスの間、モータ（Ｍ）は回転している。
【００１９】
充電されると、コンデンサ（ＣＡ）および（ＣＢ）は両方とも、接点（Ｓ１）および（Ｓ２）を切り替えることによって直列に接続され、その電圧は、その時点で電池（ＵＢ）の電圧の２倍の値に増大し、結果として、その充電量はＱ＝［（ＣＡ＋ＣＢ）／２］２ＵＢ＝（ＣＡ＋ＣＢ）ＵＢになり、このことは、充電されると両方のコンデンサの充電量Ｑは並列の場合と直列の場合とで同一になることを示す。
【００２０】
図１に示すように、モータ（Ｍ）およびダイオード（Ｄ１）に並列に接続されるとき、ダイオード（Ｄ２）は１方向接続を決定する。コンデンサ（ＣＡ）および（ＣＢ）は、両方が直列に接続された後直ちに、その充電量の半分をダイオード（Ｄ２）によって戻し、電池（ＵＢ）の電圧を発生する。次いで、接点（Ｓ１）および（Ｓ２）は切り替わり、コンデンサ（ＣＡ）および（ＣＢ）を並列に接続し、両コンデンサは、まず第１に半分の電圧に充電される。したがって、それらのコンデンサは直ちに充電され、モータ（Ｍ）およびダイオード（Ｄ１）を介して電池（ＵＢ）の電圧レベルを回復する。
【００２１】
コンデンサ（ＣＡ）および（ＣＢ）を並列接続から直列接続に、またその逆に循環的に切り替えることにより、モータ（Ｍ）を介して電池（ＵＢ）から各コンデンサに、またこれらのコンデンサから電池に循環し、電池を再充電し、電池の範囲を拡大する電流は、自己再充電可能な電気エネルギー源を構成する。
【００２２】
図２に示される第２の実際的な実施形態では、モータ（Ｍ）は、ダイオード（Ｄ２）によって、電池（ＵＢ）とコンデンサ（ＣＡ）および（ＣＢ）との間に接続される。したがって、これらのコンデンサはダイオード（Ｄ１）を介して直接充電され、モータ（Ｍ）およびダイオード（Ｄ２）を介して放電され、図１で示された例で前に述べたコンデンサ（ＣＡ）および（ＣＢ）の充電量の値は不変のままであり、違いは、モータ（Ｍ）の各端子に存在する電圧が、この場合は電池（ＵＢ）の電圧と同じであるということである。
【００２３】
コンデンサ（ＣＡ）、（ＣＢ）の充電容量は、モータ（Ｍ）を介して循環する電流の強度によって決定され、モータにはコンデンサ（ＣＭ）が並列に接続され、このコンデンサは、最大出力におけるモータの動作を保証し、このコンデンサの代わりに、電池、好ましくは急速充電池を接続することが可能である。
【００２４】
図３に示された別の実施形態では、第１および第２の蓄積器手段は、電池（Ｂ３）、（Ｂ４）および（Ｂ１）、（Ｂ２）のそれぞれの対からなる。したがって、この実施形態では、コンデンサ（ＣＡ）および（ＣＢ）の代わりに、２対の電池が使用される。電池（Ｂ１）および（Ｂ２）の対はスイッチ（Ｓ１）および（Ｓ２）に接続され、電池（Ｂ３）および（Ｂ４）の対はスイッチ（Ｓ３）および（Ｓ４）に接続され、その結果、各スイッチ（Ｓ１−Ｓ４）は、それらの位置に応じて、電池が直列または並列に組み合わされるように、各電池の対を接続する。
【００２５】
したがって、電池（Ｂ１）および（Ｂ２）の２つが並列に接続されている間、他の２つの電池（Ｂ３）および（Ｂ４）は直列に構成され、各電池間の電圧差の結果として回転するモータ（Ｍ）は、各電池の両方の対の間に接続されるが、同時に、直列接続された各電池からモータを介して循環する電流は、２つの並列接続された電池を再充電する。接点（Ｓ１）、（Ｓ２）、（Ｓ３）および（Ｓ４）は、電池（Ｂ１）および（Ｂ２）を直列に接続し、電池（Ｂ３）および（Ｂ４）を並列に接続し、次いで切り替え、したがって電流の方向を逆にするが、同時にそれらは、モータの正しい極性およびモータの回転方向を維持するために、接点（Ｓ５）および（Ｓ６）を切り替える。
【００２６】
２つのコンデンサおよび電池は、どんな機械的、電気機械的、電気的、電子的、または自己再充電可能な電気エネルギー源を得る目的で記述された各条件に合う他の要素によって切り替えられてもよい。これらの切替動作は、知られた手段、たとえばプログラム可能な電子的な手段で制御されても良い。
【００２７】
前述の好ましい各実施形態では、充電器は直流モータからなるが、当業者であれば理解できるように、充電器はまた、どんなタイプの抵抗性および／または誘導性の充電器から構成されてもよい。
【００２８】
図４には他の好ましい実施形態が示してあり、２つの１次巻線（Ｌ１）および（Ｌ２）を有するトランス（Ｔ）は、電池（ＵＢ）と２対のコンデンサ、（Ｃ１）および（Ｃ２）に加えて（Ｃ３）および（Ｃ４）との間に接続され、それにより、２つのコンデンサ（Ｃ１）および（Ｃ２）は、それらの接続を接点（Ｓ１）および（Ｓ２）により並列から直列に、またその逆に切り替え、コンデンサ（Ｃ３）および（Ｃ４）は、接点（Ｓ３）および（Ｓ４）によって切り替わり、その結果、コンデンサ（Ｃ１）および（Ｃ２）が並列に接続されているサイクル中は、後者は巻線（Ｌ１）を介して電池の電圧レベルまで充電されるが、同時に、コンデンサ（Ｃ３）および（Ｃ４）は直列に接続され、それらの電圧を２倍にし、電池は巻線（Ｌ２）によって放電され、この場合には、充電電流および放電電流は同じ方向に循環する。一方で、コンデンサ（Ｃ３）および（Ｃ４）が並列に接続されているサイクル中では、これらのコンデンサは巻線（Ｌ２）を介して電池電圧レベルまで充電され、コンデンサ（Ｃ１）および（Ｃ２）は直列に接続され、それらの電圧を２倍にし、巻線（Ｌ１）を介して電池に放電される。したがって、充電電流および放電電流の方向は変化し、したがって２次巻線（Ｌ３）において交流電圧を誘起し、その周波数は前述の各接点の切替速度に依存し、ダイオード・ブリッジ（Ｐ）によって整流され、コンデンサ（ＣＰ）によって濾波された後に、結果として生じるＤＣ電圧は回路（Ｋ）によって正弦波電圧に変換される。
【００２９】
１対のコンデンサの並列接続および他方の対の直列接続が同時に起こる。したがって、各巻線のうちの１つを介して電池から循環し、各コンデンサのうちの２つを充電する電流と、他の巻線を介して他の２つのコンデンサから電池に循環する電流の合計は、ほぼゼロである。
【００３０】
本質的に各コンデンサにおける熱の消散、ならびに電池の充電係数（ｃｈａｒｇｉｎｇ  ｆａｃｔｏｒ）によって生じる最小エネルギー損失は、外部のエネルギー源（ＦＥ）によって補償され、その結果として、電池の外部のこのソースから循環する電流と、各コンデンサの充電電流および放電電流との合計はゼロに等しい。したがって、各充電器のパワーが大きいほど、各コンデンサの充電電流および放電電流の強度は高くなるため、電池は放電されず、その範囲はトランス（Ｔ）の２次巻線（Ｌ３）に接続された各モータまたは各充電器によってなされた仕事に依存しない。
【００３１】
図５には他の実施形態が示してあり、交流モータ（Ｍ）が２つの巻線（Ｌ１）および（Ｌ２）に接続され、その結果、コンデンサ（Ｃ１）および（Ｃ２）が並列に接続されている間、後者は巻線（Ｌ１）によって充電され、同時にコンデンサ（Ｃ３）および（Ｃ４）は直列に接続され、巻線（Ｌ２）により電池（ＵＢ）に放電され、充電電流および放電電流は各巻線を介して同じ方向に循環する。次いで、コンデンサ（Ｃ１）および（Ｃ２）は直列に接続され、コンデンサ（Ｃ３）および（Ｃ４）は並列に接続される。したがって、各コンデンサの充電電流および放電電流の方向は逆になり、したがって、モータの各端子において、各接点の切替速度に依存する周波数を有する交流電圧を発生する。生じたエネルギー損失は、外部ソース（ＦＥ）によって補償され、このソースから電池に循環する電流と、各コンデンサの充電および放電の間、２つの巻線を介して循環する電流との合計は、ゼロに等しい。したがって、モータによってなされた仕事の結果として、電池は放電されない。
【００３２】
図６には、電池（ＵＢ）と２対のコンデンサ、（Ｃ１）および（Ｃ２）に加えて（Ｃ３）および（Ｃ４）との間の２つの巻線（Ｌ１）および（Ｌ２）への直流モータ（Ｍ）の接続が示してあり、その結果、並列に接続されている間、各コンデンサのうちの２つは巻線（Ｌ１）によって充電され、同時に直列に接続されている間、他の２つのコンデンサは巻線（Ｌ２）によって電池に充電される。各コンデンサの各対に並列から直列に、またその逆に接続する各接点（Ｓ１）、（Ｓ２）、（Ｓ３）および（Ｓ４）の切替と同時に、接点（Ｓ５）および（Ｓ６）は切り替わり、モータの各巻線を分極し、その結果、各コンデンサの充電電流および放電電流は同じ方向に循環し、直流電圧を発生する。外部ソース（ＦＥ）から供給される電流と各コンデンサの充電電流および放電電流との合計はゼロに等しく、したがって電池の放電はない。
【００３３】
本記述および一連の各図を検討すると、説明されてきた本発明の各実施形態は、本発明の目的内の多くの様々な方法で組み合わされてもよいことが、当業者には理解されよう。本発明は、本発明のいくつかの好ましい実施形態に基づいて記述されてきたが、請求の範囲に記載されている本発明の目的から逸脱することなく、前記好ましい各実施形態に複数の変形を加えてもよいことが、当業者には明らかになろう。
【図面の簡単な説明】
【００３４】
【図１】切換可能な各接点により、並列に接続された２つのコンデンサはモータおよびダイオードを介して電池から充電され、各接点が切り替えられた後に、２つのコンデンサは直列に接続され、それにより他のダイオードを介して電池を放電させる、実際的な回路を示す図である。
【図２】切換可能な各接点により、２つのコンデンサは並列に接続され、ダイオードを介して電池から充電され、各接点が切り替えられた後に、２つのコンデンサは直列に接続され、それによりモータおよび他のダイオードを介して電池を放電させる、実際的な回路を示す図である。
【図３】並列に接続された他の２つの電池にモータを介して直列に接続され、接点によって、二者択一的に切り替わり、この結果、各コンデンサの使用に関して述べられた効果と同様の効果が生じる、２つの電池の接続を示す図である。
【図４】電池と、２つの１次巻線および１つの２次巻線を有し、交流電圧が誘起されて、整流され、濾波され、正弦波電圧に変換されるトランスの２対のコンデンサとの間の接続に対応する電気回路図を示す図である。
【図５】電池と２対のコンデンサとの間に接続された２つの巻線を有する交流モータの電気回路図を示す図である。
【図６】電池と２対のコンデンサとの間に接続された２つの巻線を有し、２つの切換可能な接点がそれらの正しい分極および回転方向を確実にする直流モータの電気回路図を示す図である。
【図１】
2007520187.tif 000003
【図２】
2007520187.tif 000004
【図３】
2007520187.tif 000005
【図４】
2007520187.tif 000006
【図５】
2007520187.tif 000007
【図６】
2007520187.tif 000008
【国際調査報告】
2007520187.tif 000009
2007520187.tif 000010
2007520187.tif 000011
2007520187.tif 000012